(57)【要約】【課題】引っ掛け部分を容易にしっかりと固定でき、なおかつ、充分な使い勝手を有する引っ掛け具と扉を提供する。【解決手段】引っ掛け具３は、内側挿入部材９と外側カバー部材１０とタオルリング１１及びネジ固定部材１２を有する。タオルリング１１は外側カバー部材１０に取り付けられ、内側挿入部材９と外側カバー部材１０はネジ固定部材１２を下方から差し込み、ネジ構造にて一体化されている。また、扉１は、レール構造２と、引っ掛け具３と、扉本体４とを備える。【選択図】図１
2014036704.tif 000002
【特許請求の範囲】
【請求項１】
所定のレールの内側に挿入される内側本体と、該内側本体から突出した第１の突出部と、該第１の突出部に設けられた第１の接合部と、前記内側本体の側の前記第１の突出部の端部から垂直下方に突出した第２の突出部とを有する内側固定部材と、
前記内側本体の上方に位置する外側挟持片と、該外側挟持片に連設されると共に前記第１の突出部に対応する位置かつ上方に配置された外側本体と、該外側本体の前記第１の接合部に対応する位置に設けられた第２の接合部と、前記外側本体の前記第１の突出部の突出方向側に連設された嵌合部とを有する外側固定部材と、
前記嵌合部と嵌合可能に構成された引っ掛け部と、
前記第１の接合部と前記第２の接合部を接合可能に構成された固定部材とを備える
引っ掛け具。
【請求項２】
前記嵌合部に嵌合した引っ掛け部が、前記第１の突起部と前記嵌合部の間に配置されるべく構成された
請求項１に記載の引っ掛け具。
【請求項３】
前記外側固定部材は、前記外側本体から垂直下方に突出すると共に、前記第２の突出部に対応する位置に設けられた外側突出部を有する
請求項１または請求項２に記載の引っ掛け具。
【請求項４】
前記嵌合部は仕切り部を有し、
前記引っ掛け部は、前記仕切り部と嵌合可能な切れ込みが形成された
請求項１、請求項２または請求項３に記載の引っ掛け具。
【請求項５】
前記内側本体は、その上面に設けられた第１の滑り止め部を有し、
前記外側挟持片は、その下面に設けられた第２の滑り止め部を有する
請求項１、請求項２、請求項３または請求項４に記載の引っ掛け具。
【請求項６】
前記内側固定部材は、前記外側本体と接する側面に第１のガイド部が設けられた前記内側本体と、前記外側本体と接する両側面に第２のガイド部が設けられた前記第１の突出部を有し、
前記外側本体は、前記内側本体と接する位置に前記第１のガイド部と接合可能に構成された第３のガイド部と、前記第１の突出部の側面と接する位置に前記第２のガイド部と接合可能に構成された第４のガイド部を有する
請求項１、請求項２、請求項３、請求項４、または請求項５に記載の引っ掛け具。
【請求項７】
所定の面及び同所定の面の反対側に位置する背面を有する扉本体と、
該扉本体の端面に取り付けられた第１のレール部材と、該第１のレール部材の前記背面の側端部から略垂直方向に設けられた第２のレール部材と、前記所定の面の側かつ前記第１のレール部材と略平行する方向に、前記第２のレール部材の上端から同第１のレール部材と略同じ幅及び長さに設けられた第３のレール部材と、前記所定の面の側の前記第３のレール部材の端部から前記第１のレール部材に向けて略垂直方向に、前記第２のレール部材よりも短く設けられた垂れ下がり部とを有するレールと、
前記レールの内側に挿入される内側本体と、該内側本体から突出した第１の突出部と、該第１の突出部に設けられた第１の接合部と、前記第１の突出部の前記内側本体側端部から垂直下方に突出した第２の突出部とを有する内側固定部材と、
前記内側本体の上方に位置する外側挟持片と、該外側挟持片に連設されると共に前記第１の突出部に対応する位置かつ上方に配置された外側本体と、該外側本体の前記第１の接合部に対応する位置に設けられた第２の接合部と、前記外側本体の前記第１の突出部の突出方向側に連設された嵌合部とを有する外側固定部材と、
前記嵌合部と嵌合可能に構成されると共に、嵌合された状態で前記第１の突出部と同嵌合部の間に配置された引っ掛け部と、
前記第１の接合部と前記第２の接合部を接合可能に構成された固定部材とを備える
扉。
【発明の詳細な説明】
【技術分野】
【０００１】
本発明は引っ掛け具及び扉に関する。詳しくは、台所や洗面所等の周辺に設置して、タオル、布巾等を引っ掛けて用いる引っ掛け具及びこうした引っ掛け具を備える扉に係るものである。
【背景技術】
【０００２】
台所、洗面所など水回りの住環境では、流し台や洗面台に設けられた収納部分の扉の把手にタオルを引っ掛けて使用することが一般的に行われている。また、任意の位置にタオルを掛ける技術として、吸盤式の固定具を壁面に吸着させて用いる引っ掛け具が提案されている（例えば、特許文献１参照）。
【０００３】
ところが、扉の把手にタオルを掛けて使用する場合は、任意の位置にタオルを掛けることができず、把手の設けられた位置によっては使い勝手が悪かった。
【０００４】
また、吸盤式の固定具は意匠性がよくなく、さらに吸着力がなくなると脱落してしまい、しっかりと固定することができないという不具合があった。
【０００５】
こうしたなか、引っ掛け具を固定でき、また、着脱可能にすることで使い勝手を向上させた技術が提案されている（例えば、特許文献２参照）。ここで、特許文献２には、扉に専用のレールを取り付け、レールに引っ掛け具を固定する方法が記載されている。
【０００６】
詳しくは、特許文献２には、図８に示すような扉１００及び引っ掛け具１０１が記載されている。まず、扉に前方が開放されたコの字型の形状のレール１０２が取付けられる。次に、引っ掛け具１０３と一体化した係合部１０４をレール１０２の端部から内部へスライドさせて挿入することで、レール１０２と係合部１０４が嵌合状態となる。また係合部１０４は左右に動かすことができ、引っ掛け具１０１を使用しない場合は、レール１０２から取り外すことができる。
【先行技術文献】
【特許文献】
【０００７】
【特許文献１】特開平１１−４７０３０号公報
【特許文献２】特開２００９−４１３６４号公報
【発明の概要】
【発明が解決しようとする課題】
【０００８】
ここで、特許文献２の技術を用いる場合、レールと係合部を嵌合させるために、レール内側のクリアランスと係合部の大きさは、ぴったりと対応するように形成されている。そのため、係合部をレールに挿入する際には強く押し込む必要があり、引っ掛け具が取付けにくいという不具合が存在する。
【０００９】
また、レール内側のクリアランスと係合部の大きさをぴったり対応させるために、引っ掛け具の取付けには、専用のレールを用いなければならない。つまり、取り付け可能なレールの形状が限定されることから、充分に使い勝手がよいものにはなっていない。
【００１０】
本発明は、以上の点に鑑みて創案されたものであり、引っ掛け部分を容易にしっかりと固定でき、なおかつ、充分な使い勝手を有する引っ掛け具と扉を提供することを目的とする。
【課題を解決するための手段】
【００１１】
上記の目的を達成するために、本発明の引っ掛け具は、所定のレールの内側に挿入される内側本体と、該内側本体から突出した第１の突出部と、該第１の突出部に設けられた第１の接合部と、前記内側本体の側の前記第１の突出部の端部から垂直下方に突出した第２の突出部とを有する内側固定部材と、前記内側本体の上方に位置する外側挟持片と、該外側挟持片に連設されると共に前記第１の突出部に対応する位置かつ上方に配置された外側本体と、該外側本体の前記第１の接合部に対応する位置に設けられた第２の接合部と、前記外側本体の前記第１の突出部の突出方向側に連設された嵌合部とを有する外側固定部材と、前記嵌合部と嵌合可能に構成された引っ掛け部と、前記第１の接合部と前記第２の接合部を接合可能に構成された固定部材とを備える。
【００１２】
ここで、所定のレールの内側に挿入される内側本体と、第１の突出部に設けられた第１の接合部と、内側本体の上方に位置する外側挟持片と、外側本体の第１の接合部に対応する位置に設けられた第２の接合部と、第１の接合部と第２の接合部を接合可能に構成された固定部材とを有することによって、所定のレールを内側固定部材と外側固定部材で挟持して固定することができる。つまり、内側固定部材と外側固定部材の間に挟める大きさのレールであれば引っ掛け具の取付けが可能となり、汎用性に優れることになる。また、引っ掛け具がレールを上下から挟持して固定することになり、引っ掛け具を安定させることができる。
【００１３】
また、内側本体から突出した第１の突出部と、第１の突出部に設けられた第１の接合部と、外側本体の第１の接合部に対応する位置に設けられた第２の接合部と、第１の接合部と第２の接合部を接合可能に構成された固定部材とを備えることによって、第１の接合部と第２の接合部は、レールから突出した位置で一体化されることになり、取付ける作業を容易にすることができる。
【００１４】
また、内側本体の側の第１の突出部の端部から垂直下方に突出した第２の突出部を有することによって、レールの下端に内側固定部材が引っかかることになる。このことは、固定後の引っ掛け具の前後方向へのぐらつきを抑え、引っ掛け具を安定させることができ、かつ、引っ掛けたタオル等が使用しやすくなる。なお、ここでいう垂直下方とは、引っ掛け具を正面から見た場合の下方向の向きを意味する。
【００１５】
また、内側本体から突出した第１の突出部と、第１の突出部に対応する位置かつ上方に配置された外側本体とを有することによって、第１の突出部は外側本体に上方を覆われることになる。つまり、外部の衝撃から第１の突出部が保護され、引っ掛け具として耐久性が向上する。また、第１の突出部と繋がった内側本体もレールから外れにくくなる。
【００１６】
さらに、外側本体の第１の突出部の突出方向側に連設された嵌合部と嵌合部と嵌合可能に構成された引っ掛け部とを有することによって、レールから突出した位置に引っ掛け部が配置されることになり、引っ掛けたタオル等が使用しやすくなる。
【００１７】
また、嵌合部に嵌合した引っ掛け部が、第１の突起部と嵌合部の間に配置されるべく構成された場合には、引っ掛け部は嵌合部に嵌合された上、さらに第１の突出部によって抑えられることになる。即ち、より一層引っ掛け部が外れにくくなり、引っ掛けたタオル等が使用しやすくなる。
【００１８】
また、固定部材にネジを用い、第１の接合部にネジを通す貫通孔を形成し、第２の接合部にネジ溝を設けた場合には、第１の接合部と第２の接合部がねじ構造にて強固に接合されることになり、より一層引っ掛け具を安定させることができる。
【００１９】
また、外側固定部材は、外側本体から垂直下方に突出すると共に、第２の突出部に対応する位置に設けられた外側突出部を有する場合には、第２の突出部は外側突出部に覆われることになる。つまり、外部の衝撃から第２の突出部が保護され、引っ掛け具として耐久性が向上する。
【００２０】
また、外側固定部材は、外側本体から垂直下方に突出すると共に、第２の突出部に対応する位置に設けられた外側突出部を有する場合には、レールの下端に外側固定部材が引っ掛かることになる。このことは、より一層、固定後の引っ掛け具の前後方向のぐらつきを抑え、引っ掛け具を安定させることができ、かつ、引っ掛けたタオル等が使用しやすくなる。
【００２１】
また、嵌合部は仕切り部を有し、引っ掛け部は、仕切り部と嵌合可能な切れ込みが形成された場合には、仕切り部と切れ込みが嵌め合わされることで引っ掛け部が固定されることになる。このことは、使用時に引っ掛け部がずれにくくなり、引っ掛け具を安定させることができ、かつ、引っ掛けたタオル等が使用しやすくなる。
【００２２】
また、内側本体は、その上面に設けられた第１の滑り止め部を有し、外側挟持片は、その下面に設けられた第２の滑り止め部を有する場合には、レールの上端を挟持固定した後に、レールの表面との間の接する部分が滑りにくくなり、引っ掛け具を安定させることができる。
【００２３】
また、内側固定部材は、外側本体と接する側面に第１のガイド部が設けられた内側本体と、外側本体と接する両側面に第２のガイド部が設けられた第１の突出部を有し、外側本体は、内側本体と接する位置に第１のガイド部と接合可能に構成された第３のガイド部と、第１の突出部の側面と接する位置に第２のガイド部と接合可能に構成された第４のガイド部を有する場合には、対応するガイド部を利用して、内側固定部材と外側固定部材をスライドさせて嵌め合わせることができる。即ち、内側本体及び第１の突出部に対して、外側本体を容易に取り付けることができ、引っ掛け具の取付ける作業を容易にすることができる。
【００２４】
また、上記の目的を達成するために、本発明の扉は、所定の面及び同所定の面の反対側に位置する背面を有する扉本体と、該扉本体の端面に取り付けられた第１のレール部材と、該第１のレール部材の前記背面の側端部から略垂直方向に設けられた第２のレール部材と、前記所定の面の側かつ前記第１のレール部材と略平行する方向に、前記第２のレール部材の上端から同第１のレール部材と略同じ幅及び長さに設けられた第３のレール部材と、前記所定の面の側の前記第３のレール部材の端部から前記第１のレール部材に向けて略垂直方向に、前記第２のレール部材よりも短く設けられた垂れ下がり部とを有するレールと、前記レールの内側に挿入される内側本体と、該内側本体から突出した第１の突出部と、該第１の突出部に設けられた第１の接合部と、前記第１の突出部の前記内側本体側端部から垂直下方に突出した第２の突出部とを有する内側固定部材と、前記内側本体の上方に位置する外側挟持片と、該外側挟持片に連設されると共に前記第１の突出部に対応する位置かつ上方に配置された外側本体と、該外側本体の前記第１の接合部に対応する位置に設けられた第２の接合部と、前記外側本体の前記第１の突出部の突出方向側に連設された嵌合部とを有する外側固定部材と、前記嵌合部と嵌合可能に構成されると共に、嵌合された状態で前記第１の突出部と同嵌合部の間に配置された引っ掛け部と、前記第１の接合部と前記第２の接合部を接合可能に構成された固定部材とを備える。
【００２５】
ここで、扉本体の端面に取り付けられた第１のレール部材と、第１のレール部材の背面の側端部から略垂直方向に設けられた第２のレール部材と、所定の面の側かつ第１のレール部材と略平行する方向に、第２のレール部材の上端から第１のレール部材と略同じ幅及び長さに設けられた第３のレール部材と、所定の面の側の第３のレール部材の端部から第１のレール部材に向けて略垂直方向に、第２のレール部材よりも短く設けられた垂れ下がり部とを有するレールを有することによって、扉本体の端面に、前面に開口を有し、かつ、垂れ下がり部が設けられたレールが設置されることになる。つまり、レールは扉の把手として用いることができる形状となっており、扉の開閉を容易にすることができる。
【００２６】
また、レールと、レールの内側に挿入される内側本体と、第１の突出部に設けられた第１の接合部と、内側本体の上方に位置する外側挟持片と、外側本体の第１の接合部に対応する位置に設けられた第２の接合部と、第１の接合部と第２の接合部を接合可能に構成された固定部材とを有することによって、内側固定部材と外側固定部材が第３のレール部材を上下から挟持して固定することができ、取付け構造を安定させることができる。
【００２７】
また、内側本体から突出した第１の突出部と、第１の突出部に設けられた第１の接合部と、外側本体の第１の接合部に対応する位置に設けられた第２の接合部と、第１の接合部と第２の接合部を接合可能に構成された固定部材とを備えることによって、第１の接合部と第２の接合部は、レールから突出した位置で一体化されることになり、取付ける作業を容易にすることができる。
【００２８】
また、内側本体の側の第１の突出部の端部から垂直下方に突出した第２の突出部を有することによって、第１のレール部材の下端に内側固定部材が引っ掛かることになる。このことは、固定後の内側固定部材の前後方向へのぐらつきを抑え、取付け構造を安定させることができ、かつ、引っ掛けたタオル等が使用しやすくなる。
【００２９】
また、内側本体から突出した第１の突出部と、第１の突出部に対応する位置かつ上方に配置された外側本体とを有することによって、第１の突出部は外側本体に上方を覆われることになる。つまり、外部の衝撃から第１の突出部が保護され、耐久性が向上する。また、第１の突出部と繋がった内側本体もレールから外れにくくなる。
【００３０】
さらに、外側本体の第１の突出部の突出方向側に連設された嵌合部と嵌合部と嵌合可能に構成された引っ掛け部とを有することによって、レールから引っ掛け部が突出した位置に配置されることになり、引っ掛けたタオル等が使用しやすくなる。
【発明の効果】
【００３１】
本発明に係る引っ掛け具と扉は、引っ掛ける部分をしっかりと固定することができ、なおかつ、充分な使い勝手を有するものとなっている。
【図面の簡単な説明】
【００３２】
【図１】本発明を適用した引っ掛け具及び扉の一例を示す概略斜視図である。
【図２】レールの一例を示す概略側面図である。
【図３】本発明を適用した引っ掛け具の一例を示す概略側面図である。
【図４】内側固定部材の一例を示す概略斜視図である。
【図５】外側固定部材の一例を示す概略斜視図である。
【図６】外側固定部材及び引っ掛け部の一例を示す概略図である。
【図７】本発明を適用した引っ掛け具及び扉の一例における引っ掛け具の取付け構造を示す概略側面図である。
【図８】従来のタオル引っ掛け具及び扉を示す概略斜視図である。
【発明を実施するための形態】
【００３３】
以下、本発明の実施の形態について図面を参照しながら説明し、本発明の理解に供する。図１は、本発明を適用した引っ掛け具及び扉の一例を示す概略斜視図である。図２は、レールの一例を示す概略側面図である。図３は、本発明を適用した引っ掛け具の一例を示す概略側面図である。図４は、内側固定部材の一例を示す概略斜視図である。図５は、外側固定部材の一例を示す概略斜視図である。図６は、外側固定部材及び引っ掛け部の一例を示す概略図である。
【００３４】
ここで、図１に示すように、本発明を適用した引っ掛け具及び扉の一例である扉１は、レール構造２と、引っ掛け具３と、扉本体４とを備える。
【００３５】
まず、レール構造２は、図２に示すように、扉本体４の上面と同じ幅及び長さに作られ、取り付けられた扉側レール５と、扉側レール５の扉本体４の背面側から垂直に設けられた背面側レール６を有する。また、背面側レール６の上端から、扉本体４の前方方向に向けて、扉側レール４と同じ幅及び長さに作られた上面レール７が設けられている。さらに、上面レール７の先端から下方に向けて垂直に、垂れ下がりレール８が設けられている。なお、垂れ下がりレール８は、背面側レール６よりも短く作られている。また、レール構造２のレールはいずれもアルミニウムで形成されている。
【００３６】
ここで、扉側レール５は、必ずしも、扉本体４の上面と同じ幅及び長さに作られる必要はないが、取付け時に位置が合わせやすく、意匠性がよくなる点から、上記の様な構成にされることが好ましい。
【００３７】
また、扉レール５は、必ずしも扉本体４の上面に設けられる必要はなく、設置が可能であれば、扉本体の端面のいずれの面に設けられてもよい。
【００３８】
また、上面レール７の幅および長さは、引っ掛け具３が取付け可能であれば特定の大きさに限定されるものではないが、後述する引っ掛け具３をレール構造２に取り付ける場面において、取付け易くなるという点から、上記の構成にされることが好ましい。
【００３９】
また、垂れ下がりレール８の長さは、引っ掛け具３が取付け可能であれば特定の長さに限定されるものではない。
【００４０】
また、レール構造２のレールは、必ずしもアルミニウムで形成される必要はないが、重量が軽く扉本体４への負荷が軽減される点及び耐久性を向上させる点から、上記の構成にされることが好ましい。
【００４１】
また、上記の構成から、レール構造２は両端が開放された形状になっているが、引っ掛け具３が取付け可能な形状になっていれば充分であり、必ずしも両端が開放された形状に形成される必要はない。
【００４２】
次に、引っ掛け具３は、図３に示すように、内側挿入部材９と外側カバー部材１０とタオルリング１１及びネジ固定部材１２を有する。タオルリング１１は外側カバー部材１０に取り付けられる。内側挿入部材９と外側カバー部材１０は、ネジ固定部材１２のネジ山突起部分１６を下方から差し込み、ネジ構造にて一体化されている。
【００４３】
また、図４に示すように、内側挿入部材９は、内側本体１３と内側本体１３から横方向に向けて突出した第１の突出部１４及び第１の突出部から下方に向けて突出した第２の突出部１５を有する。
【００４４】
また、第１の突出部１４の中央部分には、ネジ固定部材１２のネジ山突起部分１６が挿通可能な貫通孔１７が形成されている。また、図４に示すように、第１の突出部１４の先端は、下部に厚みを有する形状に形成されている。
【００４５】
また、内側本体１３の上部の上面レール７と接する面には内側滑り止め１８が設けられている。また、内側本体１３の第１の突出部１４が設けられた側の側面には内側ガイド突起１９が、第１の突出部１４の側面には内側ガイド溝２０がそれぞれ形成されている。また、内側滑り止め１８は熱可塑性ポリウレタンで形成されている。
【００４６】
ここで、内側挿入部材９と外側カバー部材１０を固定して一体化できれば充分であり、必ずしもネジ固定部材１２で固定する必要はない。また、内側挿入部材９の下方から固定する方法に限定されるものでもない。但し、ネジ構造で強固に固定される点及び下方から固定していくことで、内側挿入部材９と外側カバー部材１０の間に上面レール７を挟持固定しやすい点から、上記の構成にされることが好ましい。
【００４７】
また、貫通孔１７は、内側挿入部材９と外側カバー部材１０を固定して一体化できる構造になっていれば充分であり、この形に限定されるものではない。
【００４８】
また、必ずしも、第１の突出部１４の先端は、下部に厚みを有する形状に形成される必要はない。また、同じ位置に別部材を貼りつけて、厚みを有する形状にすることもできる。厚みを有することで、タオルリング１１が取付けられた際に、内側挿入部材９とタオルリング１１の接する領域が大きくなり、使用時に引っ掛け具ががたつきにくくなる点から、上記の構成にされることが好ましい。
【００４９】
また、内側滑り止め１８は必須ではないが、引っ掛け具３をレール構造２に固定した時に、ずれにくくなるという点から、設けられることが好ましい。また、固定時に上面レール７と内側本体９の間がずれにくくなれば充分であり、内側滑り止め１８の素材が熱可塑性ポリウレタンに限定されるものではない。
【００５０】
また、内側ガイド突起１９及び内側ガイド溝２０は必須ではないが、内側挿入部材９と外側カバー部材１０を嵌め合わせる作業が容易になる点から、設けられることが好ましい。
【００５１】
続いて、図５に示すように、外側カバー部材１０は、外側カバー本体２１とレール挟持片２２とリング設置部２３とネジ固定部材１２のネジ山突起部分１６に対応するネジ溝部２４と第２の突出部１５に対応する側面カバー部２５を有する。また、外側カバー部材１０はアルミニウムで形成されている。
【００５２】
また、リング設置部２３は、内側挿入部材９と外側カバー部材１０を嵌め合わせた時に、内側挿入部材９の第１の突出部１４と隣合う位置に配置されるように設けられている。
【００５３】
また、図６に示すように、レール挟持片２２の下部の上面レール７と接する面には外側滑り止め２６が設けられている。また、外側滑り止め２６は熱可塑性ポリウレタンで形成されている。
【００５４】
また、外側カバー本体２１の内側本体１３と接する部分には、内側ガイド突起１９に対応する外側ガイド溝２７が設けられている。また、外側カバー本体２１の第１の突出部１４と接する部分には、内側ガイド溝２０に対応する外側ガイド突起２８が設けられている。
【００５５】
また、リング設置部２３の中央部分には、仕切り壁２９が形成されている。また、タオルリング１１には切れ込み部３０が形成されている。仕切り壁２９と切れ込み部３０の部分でタオルリング１１がリング設置部２３にぴったりはまる構造となっている。
【００５６】
ここで、内側挿入部材９と外側カバー部材１０を固定して一体化できれば充分であり、必ずしもネジ溝部２４は必要ない。但し、ネジ構造で強固に固定される点から上記の構成にされることが好ましい。
【００５７】
また、第２の突出部１５に対応する側面カバー部２５は必須ではないが、第２の突出部を外部の衝撃から保護し、引っ掛け具３の耐久性を向上させる点から、設けられることが好ましい。また、第２の突出部１５が扉レール５に引っかかることで内側挿入部材９の前後方向へのぐらつきが抑えられるという効果が、側面カバー部２５によっても生じるため、設けられることが好ましい。
【００５８】
また、外側カバー部材１０の素材はアルミニウムに限定されるものではないが、内側挿入部材９を外部の衝撃から保護し、引っ掛け具３の耐久性を向上させる点からは、上記の構成にされることが好ましい。
【００５９】
また、タオルリング１１がリング設置部２３に取付け可能に構成されていれば充分であり、必ずしもリング設置部２３は、内側挿入部材９と外側カバー部材１０を嵌め合わせた時に、内側挿入部材９の第１の突出部１４と隣合う位置に配置される必要はない。但し、内側挿入部材９と外側カバー部材１０及びタオルリング１１を一体化させた時に、タオルリング１１が第１の突出部１４によっても抑えられることになり、より外れにくくなる点から、上記の構成にされることが好ましい。
【００６０】
また、外側滑り止め２６は必須ではないが、引っ掛け具３をレール構造２に固定した時に、ずれにくくなるという点から、設けられることが好ましい。また、固定時に上面レール７とレール挟持片２２の間がずれにくくなれば充分であり、外側滑り止め２６の素材が熱可塑性ポリウレタンに限定されるものではない。
【００６１】
また、外側ガイド溝２７及び外側ガイド突起２８は必須ではないが、内側挿入部材９と外側カバー部材１０を嵌め合わせる作業が容易になる点から、設けられることが好ましい。
【００６２】
また、リング設置部２３の仕切り壁２９とタオルリング１１の切れ込み部３０は、タオルリング１１がリング設置部２３に取付け可能に構成されていれば充分であり、必ずしも必要ではないが、固定後にタオルリング１１が左右にずれにくくなり、タオルが使用しやすくなるという点から、上記の構成にされることが好ましい。
【００６３】
以下、上記の様に構成された引っ掛け具３と扉１の取付け方法について図面を参照しながら説明する。図６は、外側固定部材及び引っ掛け部の一例を示す概略図である。図７は、本発明を適用した引っ掛け具及び扉の一例における引っ掛け具の取付け構造を示す概略側面図である。
【００６４】
まず、図６に示すように、仕切り壁２９と切れ込み部３０を合わせて、タオルリング１１をリング設置部２３に嵌めこむ。次に、内側挿入部材９と外側カバー部材１０が、内側ガイド突起１９と外側ガイド溝２７及び内側ガイド溝２０と外側ガイド突起２８の組み合わせに沿ってスライドさせ嵌め合わせる。
【００６５】
続いて、ネジ固定部材１２のネジ山突起部分１６を内側挿入部材９の貫通孔１７及び外側カバー部材１０のネジ溝部２４に差し込み、回転させて固定する。なお、ネジ固定部材１２を締めていくことで、内側本体１２の上面とレール挟持片２２の下面の間のクリアランスが狭くなっていく。上面レール７への取付けを考慮し、ネジ固定部材１２は緩めに締めておく。ここまでで、内側挿入部材９と外側カバー部材１０及びタオルリング１１が一体化し、引っ掛け具３が出来上がる。
【００６６】
次に、引っ掛け具３のレール構造２への取付けを説明する。
【００６７】
図７に示すように、本発明を適用した引っ掛け具及び扉の一例においては、両端が開放されたレール構造２が用いられている。この場合、引っ掛け具３の内側本体１２の上面とレール挟持片２２の下面の間の空間に上面レール７を挟むようにして、レールに沿ってスライドさせて内側本体１３を挿入していく。
【００６８】
次に、レール上の使用したい位置に引っ掛け具３を配置し、ネジ固定部材１２をしっかりと締めて固定する。ネジ固定により、図７に示すＺ方向に向けて、内側本体１２の上面とレール挟持片２２の下面が上面レール７を挟持固定する。これにより、引っ掛け具３の取付けが完成する。なお、位置を変えたい場合は、ネジ固定を緩めることで、引っ掛け具３を左右に移動させることができる。また、引っ掛け具を使用しない場合は、レールから取り外すこともできる。
【００６９】
ここで、引っ掛け具３をレールに取り付ける別の方法の例としては、扉側レールと垂れ下がりレール８の間に形成された開口部分、つまり、レール構造２の前方方向から、引っ掛け具３を取り付ける方法がある。この場合は、内側本体１２の上面とレール挟持片２２の下面の間の空間が垂れ下がりレール８を挟んで通過できるだけのクリアランスが必要になるが、端部が開放されていない形状のレールに対しても引っ掛け具３の取付けが可能となる。
【００７０】
また、引っ掛け具３をレールに取り付ける、さらに別の方法の例として、一体化させる前の内側挿入部材９と外側カバー部材１０をバラバラにして、レールに取り付ける方法がある。レール構造２の内部に内側本体１３を入れ、上面レール７を挟持して、外側カバー部材１０を嵌め合わせる。その後、ネジ固定部材１２で一体化させ、使用したい位置を決めてネジ固定する。一体化させて前方から取り付ける上記の方法よりも、さらに、取り付け可能なレールの形状の範囲が広がることになる。
【００７１】
その他、本発明を適用した引っ掛け具及び扉の実施例の利点を挙げる。
【００７２】
まず、引っ掛け具の幅をタオルリングの幅よりも小さくした場合には、引っ掛け具をレールに取り付けやすくなる。また、固定のためのネジが１本でも充分に固定でき、使用時に引っ掛け具ががたつきにくくなる。
【００７３】
また、引っ掛け具の幅が小さい分、取付けに必要なレールの領域が狭くなり、残りの部分を扉の把手として使用しやすくなる。さらに、引っ掛け具が小さくなったことで、扉全体の意匠性が向上する。
【００７４】
また、外側カバー部材を金属製のものにした場合には耐久性が向上する。特に、タオルを下から持ち上げて使用する際には、外側カバー部材に負荷がかかりやすくなるため、強度と耐久性を付与する点から、金属製にすることが好ましい。
【００７５】
また、レールと外側カバー部材を金属製のものにした場合は、洗剤等に対して耐久性を向上させることができる。引っ掛け具及び扉が台所のシンクの下側部分などに取り付けられた際には、洗剤が付着することが想定されるが、金属製であれば、樹脂製品のようにケミカルクラック（脆性破壊）が発生することがない。
【００７６】
このように、本発明を適用した引っ掛け具及び扉は、タオルを引っ掛ける部分をしっかりと固定することができ、なおかつ、充分な使い勝手を有するものとなっている。
【符号の説明】
【００７７】
１      扉
２      レール構造
３      引っ掛け具
４      扉本体
５      扉側レール
６      背面側レール
７      上面レール
８      垂れ下がりレール
９      内側挿入部材
１０      外側カバー部材
１１      タオルリング
１２      ネジ固定部材
１３      内側本体
１４      第１の突出部
１５      第２の突出部
１６      ネジ山突起部分
１７      貫通孔
１８      内側滑り止め
１９      内側ガイド突起
２０      内側ガイド溝
２１      外側カバー本体
２２      レール挟持片
２３      リング設置部
２４      ネジ溝部
２５      側面カバー部
２６      外側滑り止め
２７      外側ガイド溝
２８      外側ガイド突起
２９      仕切り壁
３０      切れ込み部
Ｚ      内側本体の上面とレール挟持片２２の締付方向
【図１】
2014036704.tif 000003
【図２】
2014036704.tif 000004
【図３】
2014036704.tif 000005
【図４】
2014036704.tif 000006
【図５】
2014036704.tif 000007
【図６】
2014036704.tif 000008
【図７】
2014036704.tif 000009
【図８】
2014036704.tif 000010